(57)【要約】【課題】衛星測位システムの人工衛星からの信号を受信する受信アンテナの性能を向上させることが可能な技術を提供する。【解決手段】電子機器は、ＧＰＳの人工衛星からの信号を受信するＧＰＳアンテナ１０４と、サブアンテナ１０３ｓを有するマルチアンテナとして機能する第３アンテナ群１０３と、ＧＰＳアンテナ１０４とサブアンテナ１０３ｓに共通の給電点１５２とを備えている。ＧＰＳアンテナ１０４は、サブアンテナ１０３ｓよりも電子機器１の角側に配置されている。【選択図】図４
2015070302.tif 000002
【特許請求の範囲】
【請求項１】
電子機器であって、
衛星測位システムの人工衛星からの信号を受信する第１受信アンテナと、
第２受信アンテナを有するマルチアンテナと、
前記第１及び第２受信アンテナに共通の第１給電点と
を備え、
前記第１受信アンテナは、前記第２受信アンテナよりも前記電子機器の角側に配置されている、電子機器。
【請求項２】
請求項１に記載の電子機器であって、
前記第１及び第２受信アンテナの開放端の少なくとも一方は、前記第１給電点よりも外側に位置する、電子機器。
【請求項３】
請求項１及び請求項２のいずれか一つに記載の電子機器であって、
前記第２受信アンテナで受信される無線信号の周波数帯は、前記第１受信アンテナで受信される無線信号の周波数帯よりも低く、
前記第２受信アンテナは、前記第１給電点よりも内側を通って、当該第２受信アンテナの開放端が当該第１給電点よりも外側に位置するように配置されている、電子機器。
【請求項４】
請求項１及び請求項２のいずれか一つに記載の電子機器であって、
前記第２受信アンテナで受信される無線信号の周波数帯は、前記第１受信アンテナで受信される無線信号の周波数帯よりも高く、
前記第２受信アンテナは、前記第１給電点よりも内側を通らずに、当該第２受信アンテナの開放端が当該第１給電点よりも外側に位置するように配置されている、電子機器。
【請求項５】
請求項１乃至請求項４のいずれか一つに記載の電子機器であって、
第３アンテナと、
前記第３アンテナよりも要求性能が高い第４アンテナと、
前記第３及び第４アンテナに共通の第２給電点と
を備え、
前記第４アンテナは、前記第３アンテナよりも前記電子機器の角側に配置されている、電子機器。
【発明の詳細な説明】
【技術分野】
【０００１】
本発明は、電子機器に関する。
【背景技術】
【０００２】
従来から電子機器に関して様々な技術が提案されている。例えば特許文献１には、携帯電話機に関する技術が開示されている。
【先行技術文献】
【特許文献】
【０００３】
【特許文献１】特開２００２−３５４０７３号公報
【発明の概要】
【発明が解決しようとする課題】
【０００４】
特許文献１に記載されているように、携帯電話機等の電子機器は、ＧＰＳ（Global Positioning System）等の衛星測位システムの人工衛星からの信号を受信する受信アンテナを有することがある。このような受信アンテナの性能を向上させることは望ましい。
【０００５】
そこで、本発明は上述の点に鑑みて成されたものであり、衛星測位システムの人工衛星からの信号を受信する受信アンテナの性能を向上させることが可能な技術を提供することを目的とする。
【課題を解決するための手段】
【０００６】
上記課題を解決するため、本発明に係る電子機器の一態様は、衛星測位システムの人工衛星からの信号を受信する第１受信アンテナと、第２受信アンテナを有するマルチアンテナと、前記第１及び第２受信アンテナに共通の第１給電点とを備え、前記第１受信アンテナは、前記第２受信アンテナよりも前記電子機器の角側に配置されている。
【０００７】
また、本発明に係る電子機器の一態様では、前記第１及び第２受信アンテナの開放端の少なくとも一方は、前記第１給電点よりも外側に位置する。
【０００８】
また、本発明に係る電子機器の一態様では、前記第２受信アンテナで受信される無線信号の周波数帯は、前記第１受信アンテナで受信される無線信号の周波数帯よりも低く、前記第２受信アンテナは、前記第１給電点よりも内側を通って、当該第２受信アンテナの開放端が当該第１給電点よりも外側に位置するように配置されている。
【０００９】
また、本発明に係る電子機器の一態様では、前記第２受信アンテナで受信される無線信号の周波数帯は、前記第１受信アンテナで受信される無線信号の周波数帯よりも高く、前記第２受信アンテナは、前記第１給電点よりも内側を通らずに、当該第２受信アンテナの開放端が当該第１給電点よりも外側に位置するように配置されている。
【００１０】
また、本発明に係る電子機器の一態様では、第３アンテナと、前記第３アンテナよりも要求性能が高い第４アンテナと、前記第３及び第４アンテナに共通の第２給電点とがさらに設けられ、前記第４アンテナは、前記第３アンテナよりも前記電子機器の角側に配置されている。
【発明の効果】
【００１１】
本発明によれば、衛星測位システムの人工衛星からの信号を受信する受信アンテナの性能を向上させることができる。
【図面の簡単な説明】
【００１２】
【図１】実施の形態１に係る電子機器の外観を示す斜視図である。
【図２】実施の形態１に係る電子機器の外観を示す裏面図である。
【図３】実施の形態１に係る無線処理部の構成を示す図である。
【図４】実施の形態１に係る各種アンテナと電池側ケース本体の構造を示す図である。
【図５】実施の形態１に係る電子機器の外観を示す裏面図である。
【図６】実施の形態１に係る電池側ケース本体の部分拡大図である。
【図７】実施の形態２に係る無線処理部の構成を示す図である。
【図８】実施の形態２に係る各種アンテナと電池側ケース本体の構造を示す図である。
【図９】実施の形態２に係る電池側ケース本体の部分拡大図である。
【発明を実施するための形態】
【００１３】
＜実施の形態１＞
＜電子機器の外観構造＞
図１は、実施の形態１に係る電子機器１の外観の概略を示す斜視図である。本実施の形態に係る電子機器１は、例えば、スマートフォン等の携帯電話機である。
【００１４】
図１に示されるように、電子機器１は、表示側ケース２及び電池側ケース３から成る機器ケース４を備えている。表示側ケース２と電池側ケース３とが組み合わされることによって、電子機器１（機器ケース４）の形状は、平面視で略長方形の板状となっている。
【００１５】
表示側ケース２の外側の面２０、つまり機器ケース４の前面には、透明の表示領域２１が設けられている。ユーザは、表示領域２１を通じて、機器ケース４内に設けられた、液晶ディスプレイ等の表示部に表示される文字等の各種情報を視認することができる。また表示側ケース２の外側の面２０における上側の端部２０ａにはレシーバ穴５が設けられている。機器ケース４内にはレシーバが設けられており、当該レシーバから出力される受話音がレシーバ穴５を通じて電子機器１の外部に出力される。また表示側ケース２の外側の面２０における上側の端部２０ａからは、機器ケース４内に設けられたカメラレンズ６が視認可能となっている。
【００１６】
ここで、本実施の形態での上側及び下側とは、ユーザが、手に持った電子機器１を耳に当てて通話を行う際の当該電子機器１を基準とした場合の上側及び下側である。通常、ユーザは、通話を行う際には、レシーバ穴５がある部分を上側にして電子機器１を手に持つことから、電子機器１においてレシーバ穴５が存在する方が上側となる。
【００１７】
機器ケース４には、表示部、レシーバ及びカメラレンズ６以外にも様々な部品が収納されている。機器ケース４には、例えば、電子部品が搭載されたプリント基板、機器ケース４を補強する金属板、電池等が収納されている。
【００１８】
図２は電子機器１を裏面側から見た際の当該電子機器１の外観の概略を示す平面図である。電池側ケース３は、表示側ケース２に取り付けられる、電池７を収納する電池側ケース本体３０と、電池側ケース本体３０に対して電子機器１の裏面側から取り付けられるカバー部材３１とで構成されている。図２では、電池側ケース本体３０からカバー部材３１が取り外された状態の電池側ケース３が示されている。
【００１９】
カバー部材３１は、電池側ケース本体３０の外側の面３０１を覆うように電池側ケース本体３０に取り付けられる。カバー部材３１の外側の面３１０が、電子機器１の裏面（機器ケース４の裏面）となる。電池側ケース本体３０には開口部３００が設けられている。電池７は開口部３００から電池側ケース本体３０に収納される。電池側ケース本体３０にカバー部材３１が取り付けられると、電池側ケース本体３０から露出する電池７はカバー部材３１で覆われる。ユーザは、電池側ケース本体３０からカバー部材３１を取り外して電池７の交換を行う。
【００２０】
＜無線処理部の構成＞
電子機器１には、他の通信装置と無線通信を行う無線処理部１００が設けられている。図３は無線処理部１００の構成を示す図である。無線処理部１００は、２．５Ｇ帯、１．９Ｇ帯及び８００Ｍ帯の無線信号を用いて基地局と無線通信することが可能である。本実施の形態では、無線処理部１００は、ＬＴＥ（Long Term Evolution）での２．５Ｇ帯、１．９Ｇ帯及び８００Ｍ帯の無線信号と、ＣＤＭＡ（Code Division Multiple Access）での１．９Ｇ帯及び８００Ｍ帯の無線信号とを送受信することが可能である。また無線処理部１００は、衛星測位システム、例えばＧＰＳの人工衛星からの無線信号を受信することが可能である。そして、無線処理部１００は、無線ＬＡＮ、例えばＷｉＦｉを用いて通信装置と無線通信することが可能である。以後、ＧＰＳの人工衛星からの無線信号を「ＧＰＳ信号」と呼ぶ。
【００２１】
図３に示されるように、無線処理部１００は、２．５Ｇ帯の無線信号を送受信する第１アンテナ群１０１と、１．９Ｇ帯の無線信号を送受信する第２アンテナ群１０２と、８００Ｍ帯の無線信号を送受信する第３アンテナ群１０３とを備えている。第１アンテナ群１０１は、ＬＴＥでの「Ｂ４１」と呼ばれる２．５Ｇ帯の無線信号を送受信することが可能である。第２アンテナ群１０２は、ＬＴＥでの「Ｂ２５］と呼ばれる１．９Ｇ帯の無線信号と、ＣＤＭＡでの「ＢＣ１］と呼ばれる１．９Ｇ帯の無線信号とを送受信することが可能である。第３アンテナ群１０３は、ＬＴＥでの「Ｂ２６］と呼ばれる８００Ｍ帯の無線信号と、ＣＤＭＡでの「ＢＣ０」と呼ばれる８００Ｍ帯の無線信号と、ＣＤＭＡでの「ＢＣ１０」と呼ばれる８００Ｍ帯の無線信号とを送受信することが可能である。
【００２２】
また無線処理部１００は、ＧＰＳ信号を受信するＧＰＳアンテナ１０４と、無線ＬＡＮでの無線信号を送受信する無線ＬＡＮアンテナ１０５とを備えている。ＧＰＳ信号は１．５Ｇ帯の無線信号である。また無線ＬＡＮアンテナ１０５で送受信される無線信号、本例ではＷｉＦｉでの無線信号は、２．４Ｇ帯の無線信号である。
【００２３】
２．５Ｇ帯の第１アンテナ群１０１は、送信及び受信を行うメインアンテナ１０１ｍと、受信だけを行うサブアンテナ１０１ｓとを備えている。第１アンテナ群１０１では、送信の際にはメインアンテナ１０１ｍだけで送信し、受信の際にはメインアンテナ１０１ｍ及びサブアンテナ１０１ｓで受信する。つまり、第１アンテナ群１０１は、受信時のみマルチアンテナとして機能する。
【００２４】
１．９Ｇ帯の第２アンテナ群１０２は、送信及び受信を行うメインアンテナ１０２ｍと、受信だけを行うサブアンテナ１０２ｓとを備えている。第２アンテナ群１０２では、第１アンテナ群１０１と同様に、送信の際にはメインアンテナ１０２ｍだけで送信し、受信の際にはメインアンテナ１０２ｍ及びサブアンテナ１０２ｓで受信する。つまり、第２アンテナ群１０２は、受信時のみマルチアンテナとして機能する。
【００２５】
８００Ｍ帯の第３アンテナ群１０３は、送信及び受信を行うメインアンテナ１０３ｍと、受信だけを行うサブアンテナ１０３ｓとを備えている。第３アンテナ群１０３では、第１アンテナ群１０１及び第２アンテナ群１０２と同様に、送信の際にはメインアンテナ１０３ｍだけで送信し、受信の際にはメインアンテナ１０３ｍ及びサブアンテナ１０３ｓで受信する。つまり、第３アンテナ群１０３は、受信時のみマルチアンテナとして機能する。
【００２６】
本実施の形態では、第１アンテナ群１０１、第２アンテナ群１０２及び第３アンテナ群１０３のそれぞれは、受信時において基地局からのＭＩＭＯ（Multiple Input Multiple Output）信号を受信するＭＩＭＯ用の受信マルチアンテナとして使用される。
【００２７】
なお、第１アンテナ群１０１、第２アンテナ群１０２及び第３アンテナ群１０３の少なくとも一つは、ＭＩＭＯ用のマルチアンテナ以外のマルチアンテナとして使用されても良い。例えば、第１アンテナ群１０１、第２アンテナ群１０２及び第３アンテナ群１０３の少なくとも一つは、アンテナ指向性のビーム及びヌルの少なくとも一方を制御するアダプティブアレイ用のマルチアンテナとして使用されても良い。また、第１アンテナ群１０１、第２アンテナ群１０２及び第３アンテナ群１０３の少なくも一つは、ダイバーシティ用のマルチアンテナとして使用されても良い。
【００２８】
また本実施の形態では、２．５Ｇ帯のサブアンテナ１０１ｓと、１．９Ｇ帯のサブアンテナ１０２ｓとの給電点１５０が共通となっている。また、１．９Ｇ帯のメインアンテナ１０２ｍと、８００Ｍ帯のメインアンテナ１０３ｍｓとの給電点１５１が共通となっている。そして、８００Ｍ帯のサブアンテナ１０３ｓと、ＧＰＳアンテナ１０４（１．５Ｇ帯のアンテナ）との給電点１５２が共通となっている。なお、２．５Ｇ帯のメインアンテナ１０１ｍの給電点１５３は、他のアンテナの給電点と共通となっていない。また、無線ＬＡＮアンテナ１０５の給電点１５４は、他のアンテナの給電点と共通となっていない。
【００２９】
無線処理部１００には、２．５Ｇ帯送信回路１３０ｓ、１．９Ｇ帯送信回路１３１ｓ、８００Ｍ帯送信回路１３２ｓ及び無線ＬＡＮ送受信回路１３４が設けられている。
【００３０】
また無線処理部１００には、２つの２．５Ｇ帯受信回路１３０ｒ−ｍ，１３０ｒ−ｓと、２つの１．９Ｇ帯受信回路１３１ｒ−ｍ，１３１ｒ−ｓと、２つの８００Ｍ帯受信回路１３２ｒ−ｍ，１３２ｒ−ｓと、ＧＰＳ受信回路１３３ｒとが設けられている。
【００３１】
そして、無線処理部１００には、ＲＦスイッチ（高周波スイッチ）１１０と、２つのデュプレクサ１１１，１１２と、３つのダイプレクサ１２０〜１２２とが設けられている。ＲＦスイッチ１１０は、２．５Ｇ帯のメインアンテナ１０１ｍの給電点１５３に接続されており、ダイプレクサ１２０は、２．５Ｇ帯のサブアンテナ１０１ｓと１．９Ｇ帯のサブアンテナ１０２ｓの給電点１５０に接続されている。ダイプレクサ１２１は、１．９Ｇ帯のメインアンテナ１０２ｍと８００Ｍ帯のメインアンテナ１０３ｍの給電点１５１に接続されており、ダイプレクサ１２２は、８００Ｍ帯のサブアンテナ１０３ｓとＧＰＳアンテナ１０４の給電点１５２に接続されている。
【００３２】
＜送信処理について＞
２．５Ｇ帯送信回路１３０ｓ、１．９Ｇ帯送信回路１３１ｓ、８００Ｍ帯送信回路１３２ｓ及び無線ＬＡＮ送受信回路１３４のそれぞれには、無線処理部１００を制御する図示しない制御部で生成された送信信号が入力される。２．５Ｇ帯送信回路１３０ｓは、入力された送信信号に対してアップコンバート処理及び増幅処理等を行って、２．５Ｇ帯の送信信号を生成する。２．５Ｇ帯送信回路１３０ｓで生成された送信信号は、ＲＦスイッチ１１０を通じてメインアンテナ１０１ｍに入力される。これにより、メインアンテナ１０１ｍから２．５Ｇ帯の無線信号が送信される。
【００３３】
１．９Ｇ帯送信回路１３１ｓは、入力された送信信号に対してアップコンバート処理及び増幅処理等を行って、１．９Ｇ帯の送信信号を生成する。この１．９Ｇ帯の送信信号は、デュプレクサ１１１及びダイプレクサ１２１を通じてメインアンテナ１０２ｍに入力される。これにより、メインアンテナ１０２ｍから１．９Ｇ帯の無線信号が送信される。
【００３４】
８００Ｇ帯送信回路１３２ｓは、入力された送信信号に対してアップコンバート処理及び増幅処理等を行って、８００Ｍ帯の送信信号を生成する。この８００Ｍ帯の送信信号は、デュプレクサ１１２及びダイプレクサ１２１を通じてメインアンテナ１０３ｍに入力される。これにより、メインアンテナ１０３ｍから８００Ｍ帯の無線信号が送信される。
【００３５】
無線ＬＡＮ送受信回路１３４は、入力された送信信号に対してアップコンバート処理及び増幅処理等を行って、２．４Ｇ帯の送信信号を生成する。この２．４Ｇ帯の送信信号は、無線ＬＡＮアンテナ１０５に入力される。これにより、無線ＬＡＮアンテナ１０５から、ＷｉＦｉでの２．４Ｇ帯の無線信号が送信される。
【００３６】
＜受信処理について＞
２．５Ｇ帯のメインアンテナ１０１ｍで受信された受信信号は、ＲＦスイッチ１１０を通じて２．５Ｇ帯受信回路１３０ｒ−ｍに入力される。２．５Ｇ帯受信回路１３０ｒ−ｍは、入力された受信信号に対して増幅処理及びダウンコンバート処理等を行って、処理後の受信信号を制御部に出力する。また、２．５Ｇ帯のサブアンテナ１０１ｓで受信された受信信号は、ダイプレクサ１２０を通じて２．５Ｇ帯受信回路１３０ｒ−ｓに入力される。２．５Ｇ帯受信回路１３０ｒ−ｓは、入力された受信信号に対して増幅処理及びダウンコンバート処理等を行って、処理後の受信信号を制御部に出力する。制御部は、２．５Ｇ帯受信回路１３０ｒ−ｍ，１３０ｒ−ｓから出力される受信信号に対して復調処理等を行って、基地局が送信する２．５Ｇ帯の無線信号に含まれる制御データ及びユーザデータ等を再生する。
【００３７】
１．９Ｇ帯のサブアンテナ１０２ｓで受信された受信信号は、ダイプレクサ１２０を通じて１．９Ｇ帯受信回路１３１ｒ−ｓに入力される。１．９Ｇ帯受信回路１３１ｒ−ｓは、入力された受信信号に対して増幅処理及びダウンコンバート処理等を行って、処理後の受信信号を制御部に出力する。また、１．９Ｇ帯のメインアンテナ１０２ｍで受信された受信信号は、ダイプレクサ１２１及びデュプレクサ１１１を通じて１．９Ｇ帯受信回路１３１ｒ−ｍに入力される。１．９Ｇ帯受信回路１３１ｒ−ｍは、入力された受信信号に対して増幅処理及びダウンコンバート処理等を行って、処理後の受信信号を制御部に出力する。制御部は、１．９Ｇ帯受信回路１３１ｒ−ｍ，１３１ｒ−ｓから出力される受信信号に対して復調処理等を行って、基地局が送信する１．９Ｇ帯の無線信号に含まれる制御データ及びユーザデータ等を再生する。
【００３８】
８００Ｍ帯のメインアンテナ１０３ｍで受信された受信信号は、ダイプレクサ１２１及びデュプレクサ１１２を通じて８００Ｍ帯受信回路１３２ｒ−ｍに入力される。８００Ｍ帯受信回路１３２ｒ−ｍは、入力された受信信号に対して増幅処理及びダウンコンバート処理等を行って、処理後の受信信号を制御部に出力する。また、８００Ｍ帯のサブアンテナ１０３ｓで受信された受信信号は、ダイプレクサ１２２を通じて８００Ｍ帯受信回路１３２ｒ−ｓに入力される。８００Ｍ帯受信回路１３２ｒ−ｓは、入力された受信信号に対して増幅処理及びダウンコンバート処理等を行って、処理後の受信信号を制御部に出力する。制御部は、８００Ｍ帯受信回路１３２ｒ−ｍ，１３２ｒ−ｓから出力される受信信号に対して復調処理等を行って、基地局が送信する８００Ｍ帯の無線信号に含まれる制御データ及びユーザデータ等を再生する。
【００３９】
ＧＰＳアンテナ１０４で受信された受信信号は、ダイプレクサ１２２を通じてＧＰＳ受信回路１３３ｒに入力される。ＧＰＳ受信回路１３３ｒは入力された受信信号に対して増幅処理及びダウンコンバート処理等を行って、処理後の受信信号を制御部に出力する。制御部は、ＧＰＳ受信回路１３３ｒから入力された受信信号に対して復調処理等を行って、当該受信信号に含まれる制御データ及びユーザデータ等を再生する。
【００４０】
無線ＬＡＮアンテナ１０５で受信された受信信号は、無線ＬＡＮ送受信回路１３４に入力される。無線ＬＡＮ送受信回路１３４は入力された受信信号に対して増幅処理及びダウンコンバート処理等を行って、処理後の受信信号を制御部に出力する。制御部は、無線ＬＡＮ送受信回路１３４から入力された受信信号に対して復調処理等を行って、当該受信信号に含まれる制御データ及びユーザデータ等を再生する。
【００４１】
＜各アンテナの構造について＞
本実施の形態では、第１アンテナ群１０１等の無線処理部１００が備える各種アンテナは、例えば、電池側ケース本体３０の外側の面３０１に形成されている。図４は無線処理部１００が備える各種アンテナの構造と電池側ケース本体３０の構造とを示す図である。
【００４２】
図４の中央には、電池側ケース本体３０の正面図が示されている。また、図４の上側、下側、左側及び右側には、電池側ケース本体３０の上面図、底面図、左側面図及び右側面図がそれぞれ示されている。図４の中央には、電池側ケース本体３０を、カバー部材３１が取り付けられる側から見た様子が示されている。
【００４３】
無線処理部１００が備える、メインアンテナ１０１ｍ等の各種アンテナは、例えば、導体パターンで形成されている。またアンテナと接続される給電点１５０〜１５４も、例えば、導体パターンで形成されている。各種アンテナ及び給電点１５０〜１５４は、電池側ケース本体３０の外側の面３０１に対して、例えば、銀を主成分とする金属材料を印刷することによって形成されている。給電点１５０〜１５４のそれぞれは、例えば丸形となっている。
【００４４】
電池側ケース本体３０は略浅い箱形となっている。略箱形の電池側ケース本体３０の外側の面３０１は、平面視で略長方形の主面３０２と、上側の側面３０３（「上側面３０３」と呼ぶ）と、下側の側面３０４（「下側面３０４」と呼ぶ）と、左側の側面３０５（「左側面３０５」と呼ぶ）と、右側の側面３０６（「右側面３０６」と呼ぶ）とで構成されている。主面３０２には、電池７が挿入される上述の開口部３００が形成されている。また主面３０２の四隅には４つのネジ穴３１０がそれぞれ形成されている。
【００４５】
ここで、本実施の形態での電池側ケース本体３０についての左側及び右側とは、図４の中央に示されるように、電池側ケース本体３０の上側（ユーザが、手に持った電子機器１を耳に当てて通話を行う際の当該電子機器１を基準とした場合の上側）を上にして、当該電池側ケース本体３０をカバー部材３１が取り付けられる側から見た際の左側及び右側である。
【００４６】
主面３０２と上側面３０３との境界部分３２３は角張っておらず湾曲している。つまり、主面３０２における上側面３０２側の端部から、上側面３０２における主面３０２側の端部にかけて湾曲している。同様に、主面３０２と下側面３０４との境界部分３２４は角張っておらず湾曲している。主面３０２と左側面３０５との境界部分３２５は角張っておらず湾曲している。主面３０２と下側面３０４との境界部分３２４は角張っておらず湾曲している。
【００４７】
電池側ケース本体３０の右上角３２０、左上角３２１、左下角３２２及び右下角３２３は角張っておらず湾曲している（丸くなっている）。
【００４８】
＜ＧＰＳアンテナ及び８００Ｍ帯のサブアンテナの形状＞
給電点１５２が共通している８００Ｍ帯のサブアンテナ１０３ｓとＧＰＳアンテナ１０４とは、電池側ケース本体３０の右上角部分３５０に形成されている。言い換えれば、サブアンテナ１０３ｓとＧＰＳアンテナ１０４とは、電池側ケース本体３０の右上角３２０付近に形成されている。電池側ケース本体３０が電子機器１に組み入れられた状態を考えると、サブアンテナ１０３ｓとＧＰＳアンテナ１０４とは、図５に示されるように、電子機器１をカバー部材３１側（裏面側）から見た場合での当該電子機器１の内側の右上角部分１０に形成されている。なお、図５には、電子機器１をカバー部材３１側から見た場合での当該電子機器１の内側の左上角部分１１、左下角部分１２及び右下角部分１３も示されている。
【００４９】
サブアンテナ１０３ｓが受信する無線信号の周波数帯（８００Ｍ帯）は、ＧＰＳアンテナ１０４が受信するＧＰＳ信号の周波数帯（１．５Ｇ帯）よりも低いことから、サブアンテナ１０３ｓはＧＰＳアンテナ１０４よりも長くなる。給電点１５２は、電池側ケース本体３０の右上角部分３５０の主面３０２側に設けられている。言い換えれば、給電点１５２は、電池側ケース本体３０の主面３０２の右上隅付近に設けられている。
【００５０】
図６は、電池側ケース本体３０の右上角部分３５０付近を拡大して示す図である。電池側ケース本体３０が電子機器１に組み込まれると、図６に示されるように、電池側ケース本体３０の右上角部分３５０付近の下方には、機器ケース４内に収納されたイヤホンジャック４０、バイブレータ４１、サイドキー４２及び近接センサー４３などの部品が位置する。サブアンテナ１０３ｓ及びＧＰＳアンテナ１０４の下に部品が存在すると、サブアンテナ１０３ｓ及びＧＰＳアンテナ１０４の性能が劣化する可能性があることから、サブアンテナ１０３ｓ及びＧＰＳアンテナ１０４はできるだけ部品の上に位置しないように配置される。なお、無線処理部１００が備える他のアンテナについても、同様に、機器ケース４内の部品の上にできるだけ位置しないように配置される。
【００５１】
図４，６に示されるように、ＧＰＳアンテナ１０４は、近くにあるサイドキー４２の上を通らないように給電点１５２から右側面３０６の方へ延び、右側面３０６の湾曲部分３０６ａ（右側面３０６の主面３０２側の端部）を通って右側面３０６の平坦部分３０６ｂまで延びている。言い換えれば、ＧＰＳアンテナ１０４は、給電点１５２から右側面３０６の方へ延び、主面３０２と右側面３０６との湾曲している境界部分３２６を通って、右側面３０６の平坦部分３０６ｂまで延びている。そして、ＧＰＳアンテナ１０４は、右側面３０６の平坦部分３０６ｂから、電池側ケース本体３０の湾曲している右上角３２０を通って、上側面３０３の平坦部分３０３ｂまで延びている。そして、ＧＰＳアンテナ１０４は、上側面３０３の平坦部分３０３ｂから、上側面３０３と主面３０２との湾曲している境界部分３２３まで延び、その後、左方向に１８０度Ｕターンして終了している。ＧＰＳアンテナ１０４の開放端１０４ａは、給電点１５２よりも外側に位置している。具体的には、ＧＰＳアンテナ１０４の開放端１０４ａは、電池側ケース本体３０の周縁部において給電点１５２よりも外側に位置している。
【００５２】
一方で、８００Ｍ帯のサブアンテナ１０３ｓは、給電点１５２から、一旦、右側面３０６の方に少し延び、その後、下方向に１８０度Ｕターンして左側面３０５の方に延びている。左側面３０５の方に延びるサブアンテナ１０３ｓは、給電点１５２を少し越えると、上側面３０３の方に９０度折れ曲がって、上側面３０３の方に向かって延びている。そして、上側面３０３の方に向かうサブアンテナ１０３ｓは、近くにあるバイブレータ４１、イヤホンジャック４０及び近接センサー４３を避けるように、少し左側面３０５の方に向かいながら階段状に斜めに延びて、主面３０２と上側面３０３との湾曲している境界部分３２３に達すると終了している。サブアンテナ１０３ｓの開放端１０３ｓａは、ＧＰＳアンテナ１０４の開放端１０４ａと同様に、給電点１５２よりも外側に位置している。具体的には、サブアンテナ１０３ｓの開放端１０３ｓａは、電池側ケース本体３０の周縁部において給電点１５２よりも外側に位置している。
【００５３】
このように、電池側ケース本体３０において、ＧＰＳアンテナ１０４は、８００Ｍ帯のサブアンテナ１０３ｓよりも右上角３２０側に配置されている。電池側ケース本体３０を電子機器１に組み込んだ状態を考えると、ＧＰＳアンテナ１０４は、８００Ｍ帯のサブアンテナ１０３ｓよりも電子機器１の角側（電子機器１をカバー部材３１側から見ると、電子機器１の右上角側）に配置される。したがって、ＧＰＳアンテナ１０４の近くに電子機器１内の部品が存在しにくくなる。よって、機器ケース４内の部品の影響を受けてＧＰＳアンテナ１０４の性能が劣化することを抑制することができる。つまり、ＧＰＳアンテナ１０４の性能を向上することができる。
【００５４】
なお、電子機器１内の制御部は、ＧＰＳ受信回路１３３ｒから出力される受信信号に基づいて、電子機器１の位置を求める。仮にＧＰＳアンテナ１０４の性能が低下すると、制御部で求められる位置の精度が低下する可能性がある。
【００５５】
一方で、電子機器１から警察等に緊急通報が行われる場合には、警察等がユーザの位置を特定するために、電子機器１は警察等に対して当該電子機器１の位置を通知することがある。このとき、警察等に通知される電子機器１の位置が正しくないと、警察等はユーザの位置を正確に特定することが困難になる。本実施の形態では、ＧＰＳアンテナ１０４の性能が向上することから、制御部で求められる電子機器１の位置の精度を向上することができる。よって、電子機器１は、警察等に緊急通報を行う場合に、当該電子機器１について正しい位置を警察等に通知することができる。
【００５６】
また、ＧＰＳアンテナ１０４等のアンテナの開放端が、電池側ケース本体３０の外側の方ではなく、内側の方に位置する場合には、機器ケース４内のプリント基板等に形成されたグランドプレーンと結合し易くなり、アンテナの性能が劣化することがある。つまり、ＧＰＳアンテナ１０４等のアンテナの開放端が、電子機器１内において、外側の方ではなく内側の方に位置する場合には、電子機器１内のグランドプレーンと結合し易くなり、アンテナの性能が劣化することがある。
【００５７】
本実施の形態では、ＧＰＳアンテナ１０４の開放端１０４ａ及びサブアンテナ１０３ｓの開放端１０３ｓａは、給電点１５２よりも外側に位置しているため、詳細には、電池側ケース本体３０の周縁部において給電点１５２よりも外側に位置しているため、機器ケース４内のグランドプレーンと結合しにくくなる。よって、ＧＰＳアンテナ１０４及びサブアンテナ１０３ｓの性能が向上する。電池側ケース本体３０が電子機器１に組み入れられた状態を考えると、ＧＰＳアンテナ１０４の開放端１０４ａ及びサブアンテナ１０３ｓの開放端１０３ｓａは、電子機器１の内側の周縁部に位置していると言える。
【００５８】
また、本実施の形態では、ＧＰＳアンテナ１０４は、給電点１５２よりも内側を通らずに、その開放端１０４ａが給電点１５２よりも外側に位置するように配置されているため、ＧＰＳアンテナ１０４を電子機器１内においてより端の方（より角の方）に配置することができる。よって、ＧＰＳアンテナ１０４は、機器ケース４内の部品の影響を受けにくくなり、その性能が向上する。
【００５９】
なお、８００Ｍ帯のサブアンテナ１０３ｓの開放端１０３ｓａを給電点１５２よりも外側に配置するという観点からは、本実施の形態のようにサブアンテナ１０３ｓを給電点１５２よりも内側に通した上で、その開放端１０３ｓａを給電点１５２よりも外側に配置する必要はない。例えば、サブアンテナ１０３ｓは、給電点１５２から右側面３０６に向かって延び、その後、右側面３０６内を下側面３０４の方に向かって一方向に延びていく場合であっても、サブアンテナ１０３ｓの開放端１０３ｓａを給電点１５２よりも外側に配置することができる。
【００６０】
しかしながら、８００Ｍ帯のサブアンテナ１０３ｓはＧＰＳアンテナ１０４よりも長いことから、サブアンテナ１０３ｓが右側面３０６内を下側面３０４に向かって一方向に延びると、サブアンテナ１０３ｓの開放端１０３ｓａが、右側面３０６における長手方向の中央部まで達することがある。そうすると、電子機器１がユーザの手に持たれた状態では、サブアンテナ１０３ｓはユーザの手で覆われ易くなる。その結果、サブアンテナ１０３ｓの性能が低下する可能性がある。
【００６１】
本実施の形態では、サブアンテナ１０３ｓは、電池側ケース本体３０において、端部にある給電点１５２よりも内側を通って、当該サブアンテナ１０３ｓの開放端１０３ｓａが給電点１５２よりも外側に位置するように配置されていることから、図４に示されるように、長いサブアンテナ１０３ｓを一方向に長く延ばすことなくその開放端１０３ｓａを外側に配置することができる。よって、サブアンテナ１０３ｓはユーザの手で覆われにくくなり、その結果、サブアンテナ１０３ｓの性能が向上する。
【００６２】
＜２．５Ｇ帯のサブアンテナと１．９Ｇ帯のサブアンテナの形状＞
給電点１５０が共通している２．５Ｇ帯のサブアンテナ１０１ｓと１．９Ｇ帯のサブアンテナ１０２ｓとは、電池側ケース本体３０の左上角部分３５１に形成されている。電池側ケース本体３０が電子機器１に組み入れられた状態を考えると、サブアンテナ１０１ｓ，１０２ｓは、電子機器１をカバー部材３１側から見た場合での当該電子機器１の内側の左上角部分１１に形成されている（図５参照）。給電点１５０は、電池側ケース本体３０の左上角部分３５１の主面３０２側に設けられている。言い換えれば、給電点１５０は、電池側ケース本体３０の主面３０２の左上隅付近に設けられている。
【００６３】
本実施の形態では、２．５Ｇ帯のサブアンテナ１０１ｓの要求性能は、１．９Ｇ帯のサブアンテナ１０２ｓの要求性能よりも高くなっている。具体的には、２．５Ｇ帯のサブアンテナ１０１ｓで許容される信号損失は、１．９Ｇ帯のサブアンテナ１０２ｓで許容される信号損失よりも小さくなっている。
【００６４】
また、サブアンテナ１０２ｓが受信する無線信号の周波数帯（１．９Ｇ帯）は、サブアンテナ１０１ｓが受信する無線信号の周波数帯（２．５Ｇ帯）よりも低いことから、サブアンテナ１０２ｓはサブアンテナ１０１ｓよりも長くなる。
【００６５】
２．５Ｇ帯のサブアンテナ１０１ｓは、給電点１５０から左側面３０５の方へ延び、左側面３０５の湾曲部分３０５ａを通って左側面３０５の平坦部分３０５ｂまで延びている。そして、サブアンテナ１０１ｓは、左側面３０５の平坦部分３０５ｂから、電池側ケース本体３０の湾曲している左上角３２１を通って、上側面３０３の平坦部分３０３ｂまで延びて終了している。サブアンテナ１０１ｓの開放端１０１ｓａは、給電点１５０よりも外側に位置している。具体的には、サブアンテナ１０１ｓの開放端１０１ｓａは、電池側ケース本体３０の周縁部（電子機器１の内側の周縁部）において給電点１５０よりも外側に位置している。
【００６６】
一方で、１．９Ｇ帯のサブアンテナ１０２ｓは、給電点１５０から下側面３０４の方に向かって、右側面３０６の方に寄りながら階段状に斜めに延びた後、右方向に１８０度Ｕターンして上側面３０３の方に向かって延びている。そして、サブアンテナ１０２ｓは、主面３０２と上側面３０３の境界部分３２３で少し左側面３０５の方に曲がった後、上側面３０３の湾曲部分３０３ａを通って上側面３０３の平坦部分３０３ｂまで延びて終了している。サブアンテナ１０２ｓの開放端１０２ｓａは、電池側ケース本体３０の周縁部において給電点１５０よりも外側に位置している。
【００６７】
このように、本実施の形態では、電池側ケース本体３０において、要求性能が比較的高い２．５Ｇ帯のサブアンテナ１０１ｓが、要求性能が比較的低い１．９Ｇのサブアンテナ１０２ｓよりも左上角３２１側に配置されている。電池側ケース本体３０を電子機器１に組み込んだ状態を考えると、サブアンテナ１０１ｓは、サブアンテナ１０２ｓよりも電子機器１の角側（電子機器１をカバー部材３１側から見ると、電子機器１の左上角側）に配置される。したがって、サブアンテナ１０１ｓの近くに電子機器１内の部品が存在しにくくなる。よって、機器ケース４内の部品の影響を受けてサブアンテナ１０１ｓの性能が劣化することを抑制することができる。その結果、サブアンテナ１０１ｓについて要求される高い性能を満足し易くなる。
【００６８】
また、サブアンテナ１０１ｓの開放端１０１ｓａ及びサブアンテナ１０２ｓの開放端１２ｓａは、給電点１５０よりも外側に位置しているため、詳細には、電池側ケース本体３０の周縁部において給電点１５０よりも外側に位置しているため、機器ケース４内のグランドプレーンと結合しにくくなる。よって、サブアンテナ１０１ｓ，１０２ｓの性能が向上する。電池側ケース本体３０が電子機器１に組み入れられた状態を考えると、サブアンテナ１０１ｓの開放端１０１ｓａ及びサブアンテナ１０２ｓの開放端１０２ｓａは、電子機器１の内側の周縁部に位置していると言える。
【００６９】
また、サブアンテナ１０１ｓは、給電点１５０よりも内側を通らずに、その開放端１０１ｓａが給電点１５０よりも外側に位置するように配置されているため、サブアンテナ１０１ｓを電子機器１内においてより端の方に（より角の方に）配置することができる。よって、サブアンテナ１０１ｓは、機器ケース４内の部品の影響を受けにくくなり、その性能が向上する。
【００７０】
なお、長さの短い２．５Ｇ帯のサブアンテナ１０１ｓを、給電点１５０よりも内側を通るように配置すると、サブアンテナ１０１ｓの開放端１０１ｓａを端の方に配置することが容易ではなくなり、当該開放端１０１ｓａが機器ケース４内のグランドプレーンと結合しやすくなる。よって、長さの短い２．５Ｇ帯のサブアンテナ１０１ｓを、給電点１５０よりも内側を通るように配置することは好ましくない。
【００７１】
＜無線ＬＡＮアンテナの形状＞
無線ＬＡＮアンテナ１０５の給電点１５４は、主面３０２の左側端部における長手方向の中央部において、やや上側主面３０３寄りに形成されている。
【００７２】
無線ＬＡＮアンテナ１０５は、給電点１５４から左側面３０５の方に延び、左側面３０５の湾曲部分３０５ａを通って左側面３０５の平坦部分３０５ｂまで延びている。そして、無線ＬＡＮアンテナ１０５は、左側面３０５の平坦部分３０５ｂ内を下側面３０４の方に向かって延びている。そして、無線ＬＡＮアンテナ１０５は、その開放端１０５ａが左側面３０５の平坦部分３０５ｂにおける長手方向の中央部のやや下側面３０４寄りまで達すると終了している。無線ＬＡＮ１０５の開放端１０５ａは給電点１５４よりも外側に位置している。
【００７３】
このように、無線ＬＡＮアンテナ１０５の開放端１０５ａは給電点１５４よりも外側に位置しているため、詳細には、電池側ケース本体３０の周縁部において給電点１５４よりも外側に位置しているため、機器ケース４内のグランドプレーンと結合しにくくなる。よって、無線ＬＡＮアンテナ１０５の性能が向上する。
【００７４】
また、無線ＬＡＮアンテナ１０５は、給電点１５４よりも内側を通らずに、その開放端１０５ａが給電点１５４よりも外側に位置するように配置されているため、無線ＬＡＮアンテナ１０５をできるだけ端の方に配置することができる。よって、無線ＬＡＮ１０５は、機器ケース４内の部品の影響を受けにくくなり、その性能が向上する。
【００７５】
＜２．５Ｇ帯のメインアンテナの形状＞
２．５Ｇ帯のメインアンテナ１０１ｍは、電池側ケース本体３０の左下角部分３５２に形成されている。電池側ケース本体３０が電子機器１に組み入れられた状態を考えると、メインアンテナ１０１ｍは、電子機器１をカバー部材３１側から見た場合での当該電子機器１の内側の左下角部分１２に形成されている（図５参照）。メインアンテナ１０１ｍの給電点１５３は、電池側ケース本体３０の左下角部分３５２の主面３０２側に設けられている。
【００７６】
メインアンテナ１０１ｍは、給電点１５３から下側面３０４の方に向かってやや左側面３０５側に寄りながら斜めに延び、下側面３０４の湾曲部分３０４ａを通って下側面３０４の平坦部分３０４ｂまで延びている。そして、メインアンテナ１０１ｍは、下側面３０４の平坦部分３０４ｂから、電池側ケース本体３０の湾曲している左下角３２２を通って、左側面３０５の平坦部分３０５ｂまで延びて終了している。メインアンテナ１０１ｍの開放端１０１ｍａは、電池側ケース本体３０の周縁部において、給電点１５３よりも外側に位置している。
【００７７】
このように、メインアンテナ１０１ｍの開放端１０１ｍａは給電点１５３よりも外側に位置しているため、機器ケース４内のグランドプレーンと結合しにくくなる。よって、メインアンテナ１０１ｍの性能が向上する。
【００７８】
また、メインアンテナ１０１ｍは、給電点１５３よりも内側を通らずに、その開放端１０１ｍａが給電点１５３よりも外側に位置するように配置されているため、メインアンテナ１０１ｍを電子機器１内においてより端の方に（より角の方に）配置することができる。よって、メインアンテナ１０１ｍは、機器ケース４内の部品の影響を受けにくくなり、その性能が向上する。
【００７９】
＜１．９Ｇ帯のメインアンテナと８００Ｍ帯のメインアンテナの形状＞
給電点１５１が共通している１．９Ｇ帯のメインアンテナ１０２ｍと８００Ｍ帯のメインアンテナ１０３ｍとは、電池側ケース本体３０の右下角部分３５３に形成されている。電池側ケース本体３０が電子機器１に組み入れられた状態を考えると、メインアンテナ１０２ｍ，１０３ｍは、電子機器１をカバー部材３１側から見た場合での当該電子機器１の内側の右下角部分１３に形成されている（図５参照）。
【００８０】
メインアンテナ１０３ｍが受信する無線信号の周波数帯（８００Ｍ帯）は、メインアンテナ１０２ｍが受信する無線信号の周波数帯（１．９Ｇ帯）よりも低いことから、メインアンテナ１０３ｍはメインアンテナ１０２ｍよりも長くなる。給電点１５１は、電池側ケース本体３０の右下角部分３５３の主面３０２側に設けられている。
【００８１】
８００Ｍ帯のメインアンテナ１０３ｍは、給電点１５１から少し上側面３０３に向かって延びた後、右側面３０６に向かって延び、右側面３０６の湾曲部分３０６ａを通って右側面３０６の平坦部分３０６ｂまで延びている。メインアンテナ１０３ｍは、右側面３０６の平坦部分３０６ｂまで延びると、そこからサブパターンＰ１ｓとメインパターンＰ１ｍに分かれている。サブパターンＰ１ｓは、右側面３０６の平坦部分３０６ｂ内を上側面３０３に向かって延びて終了している。メインパターンＰ１ｍは、右側面３０６の平坦部分３０６ｂ内を下側面３０４に向かって延び、左側面３０５の平坦部分３０５ｂから、電池側ケース本体３０の湾曲している右下角３２３を通って、下側面３０４の平坦部分３０４ｂまで延びて終了している。サブパターンＰ１ｓの開放端Ｐ１ｓａ及びメインパターンＰ１ｍの開放端Ｐ１ｍａは、給電点１５１よりも外側に位置している。
【００８２】
一方で、１．９Ｇ帯のメインアンテナ１０２ｍは、給電点１５１から少し上側面３０３に向かって延びた後、左方向に１８０度Ｕターンして下側面３０４に向かって延びている。そして、メインアンテナ１０２ｍは、主面３０２と下側面３０４との湾曲している境界部分３２４に達すると、サブパターンＰ２ｓとメインパターンＰ２ｍとに分かれている。サブパターンＰ２ｓは、境界部分３４２内において左側面３０５の方に向かって少し延びて終了している。メインパターンＰ２ｍは、境界部分３４２内において、下側面３０４の方に少し延びた後、右方向に９０度曲がって右側面３０６に方に向かって延び、終了している。サブパターンＰ２ｓの開放端Ｐ２ｓａ及びメインパターンＰ２ｍの開放端Ｐ２ｍａは、給電点１５１よりも外側に位置している。
【００８３】
このように、メインアンテナ１０２ｍの開放端（開放端Ｐ１ｓａ，Ｐ１ｍａ）は、給電点１５１よりも外側に位置しているため、機器ケース４内のグランドプレーンと結合しにくくなる。よって、メインアンテナ１０２ｍの性能が向上する。
【００８４】
また、メインアンテナ１０３ｍの開放端（開放端Ｐ２ｓａ，Ｐ２ｍａ）は、給電点１５１よりも外側に位置しているため、機器ケース４内のグランドプレーンと結合しにくくなる。よって、メインアンテナ１０３ｍの性能が向上する。
【００８５】
＜実施の形態２＞
図７は実施の形態２に係る電子機器１が備える無線処理部４００の構成を示す図である。図８は無線処理部４００が備える各種アンテナの構造と、実施の形態２に係る電子機器１が備える電池側ケース本体５０の構造と示す図である。本実施の形態に係る電子機器１は、上述の実施の形態１に係る電子機器１において、無線処理部１００の代わりに無線処理部４００が設けられ、電池側ケース本体３０の代わりに電池側ケース本体５０が設けられたものである。以下に、本実施の形態に係る電子機器１について、実施の形態１に係る電子機器１との相違点を中心に説明する。
【００８６】
＜無線処理部の構成＞
無線処理部４００は、実施の形態１に係る無線処理部１００と同様に、２．５Ｇ帯、１．９Ｇ帯及び８００Ｍ帯の無線信号を用いて基地局と無線通信することが可能である。本実施の形態では、実施の形態１と同様に、無処理部４００は、ＬＴＥでの２．５Ｇ帯、１．９Ｇ帯及び８００Ｍ帯の無線信号と、ＣＤＭＡでの１．９Ｇ帯及び８００Ｍ帯の無線信号とを送受信することが可能である。また無線処理部４００は、衛星測位システム、例えばＧＰＳの人工衛星からの無線信号を受信することが可能である。そして、無線処理部４００は、無線ＬＡＮ、例えばＷｉＦｉを用いて通信装置と無線通信することが可能である。本実施の形態では、無線処理部４００は、２．４Ｇ帯の無線信号を使用するＷｉＦｉと、５Ｇ帯の無線信号を使用するＷｉＦｉとを用いて通信装置と無線通信することが可能である。
【００８７】
図７に示されるように、無線処理部４００は、２．５Ｇ帯の無線信号を送受信する第１アンテナ群４０１と、１．９Ｇ帯の無線信号を送受信す第２アンテナ群４０２と、８００Ｍ帯の無線信号を送受信する第３アンテナ群４０３とを備えている。第１アンテナ群４０１が送受信可能な無線信号は、上述の第１アンテナ群１０１が送受信可能な無線信号と同じである。第２アンテナ群４０２が送受信可能な無線信号は、上述の第２アンテナ群１０２が送受信可能な無線信号と同じである。第３アンテナ群４０３が送受信可能な無線信号は、上述の第３アンテナ群１０３が送受信可能な無線信号と同じである。
【００８８】
また無線通信部４００は、ＧＰＳ信号を受信するＧＰＳアンテナ４０４と、無線ＬＡＮでの５Ｇ帯の無線信号を送受信する無線ＬＡＮアンテナ４０５と、無線ＬＡＮでの２．４Ｇ帯の無線信号を送受信する無線ＬＡＮアンテナ４０６とを備えている。
【００８９】
２．５Ｇ帯の第１アンテナ群４０１は、送信及び受信を行うメインアンテナ４０１ｍと、受信だけを行うサブアンテナ４０１ｓとを備えている。第１アンテナ群４０１では、送信の際にはメインアンテナ４０１ｍだけで送信し、受信の際にはメインアンテナ４０１ｍ及びサブアンテナ４０１ｓで受信する。つまり、第１アンテナ群４０１は、受信時のみマルチアンテナとして機能する。
【００９０】
１．９Ｇ帯の第２アンテナ群４０２は、送信及び受信を行うメインアンテナ４０２ｍと、受信だけを行うサブアンテナ４０２ｓとを備えている。第２アンテナ群４０２では、送信の際にはメインアンテナ４０２ｍだけで送信し、受信の際にはメインアンテナ４０２ｍ及びサブアンテナ４０２ｓで受信する。つまり、第２アンテナ群４０２は、受信時のみマルチアンテナとして機能する。
【００９１】
８００Ｍ帯の第３アンテナ群４０３は、送信及び受信を行うメインアンテナ４０３ｍと、受信だけを行うサブアンテナ４０３ｓとを備えている。第３アンテナ群４０３では、送信の際にはメインアンテナ４０３ｍだけで送信し、受信の際にはメインアンテナ４０３ｍ及びサブアンテナ４０３ｓで受信する。つまり、第３アンテナ群４０３は、受信時のみマルチアンテナとして機能する。
【００９２】
本実施の形態では、第１アンテナ群４０１、第２アンテナ群４０２及び第３アンテナ群４０３のそれぞれは、受信時において、基地局からのＭＩＭＯ信号を受信するＭＩＭＯ用の受信マルチアンテナとして使用される。なお、第１アンテナ群４０１、第２アンテナ群４０２及び第３アンテナ群４０３の少なくとも一つは、ＭＩＭＯ用のマルチアンテナ以外のマルチアンテナとして使用されても良い。例えば、第１アンテナ群４０１、第２アンテナ群４０２及び第３アンテナ群４０３の少なくとも一つは、アンテナ指向性のビーム及びヌルの少なくとも一方を制御するアダプティブアレイ用のマルチアンテナとして使用されても良い。また、第１アンテナ群４０１、第２アンテナ群４０２及び第３アンテナ群４０３の少なくも一つは、ダイバーシティ用のマルチアンテナとして使用されても良い。
【００９３】
また本実施の形態では、２．５Ｇ帯のサブアンテナ４０１ｓと、ＧＰＳアンテナ４０４との給電点４５０が共通となっている。また、１．９Ｇ帯のメインアンテナ４０２ｍと、８００Ｍ帯のメインアンテナ４０３ｍｓとの給電点４５１が共通となっている。また、８００Ｍ帯のサブアンテナ４０３ｓと、１．９Ｇ帯のサブアンテナ４０２ｓとの給電点４５２が共通となっている。そして、５Ｇ帯の無線ＬＡＮアンテナ４０５と、２．４Ｇ帯の無線ＬＡＮアンテナ４０６との給電点４５４が共通となっている。なお、２．５Ｇ帯のメインアンテナ１０１ｍの給電点４５３は、他のアンテナの給電点と共通となっていない。
【００９４】
無線処理部４００には、２．５Ｇ帯送信回路４３０ｓ、１．９Ｇ帯送信回路４３１ｓ、８００Ｍ帯送信回路４３２ｓ、無線ＬＡＮ用の５Ｇ帯送信回路４３４ｓ及び無線ＬＡＮ用の２．４Ｇ帯送受信回路４３５が設けられている。
【００９５】
また無線処理部１００には、２つの２．５Ｇ帯受信回路４３０ｒ−ｍ，４３０ｒ−ｓと、２つの１．９Ｇ帯受信回路４３１ｒ−ｍ，４３１ｒ−ｓと、２つの８００Ｍ帯受信回路４３２ｒ−ｍ，４３２ｒ−ｓと、ＧＰＳ受信回路４３３ｒと、無線ＬＡＮ用の５Ｇ帯受信回路４３４ｒとが設けられている。
【００９６】
そして、無線処理部４００には、２つのＲＦスイッチ４１０，４２３と、２つのデュプレクサ４１１，４１２と、３つのダイプレクサ４２０〜４２２とが設けられている。ＲＦスイッチ４１０は、２．５Ｇ帯のメインアンテナ４０１ｍの給電点４５３に接続されており、ダイプレクサ４２０は、２．５Ｇ帯のサブアンテナ４０１ｓとＧＰＳアンテナ４０４の給電点４５０に接続されている。ダイプレクサ４２１は、１．９Ｇ帯のサブアンテナ４０２ｓと８００Ｍ帯のサブアンテナ４０３ｓの給電点４５２に接続されており、ダイプレクサ４２２は、１．９Ｇ帯のメインアンテナ４０２ｍと８００Ｍ帯のメインアンテナ４０３ｍの給電点４５１に接続されている。ＲＦスイッチ４２３は、無線ＬＡＮアンテナ４０５，４０６の給電点４５４に接続されている。
【００９７】
＜送信処理について＞
２．５Ｇ帯送信回路４３０ｓ、１．９Ｇ帯送信回路４３１ｓ及び８００Ｍ帯送信回路４３２ｓは、上述の２．５Ｇ帯送信回路１３０ｓ、１．９Ｇ帯送信回路１３１ｓ及び８００Ｍ帯送信回路１３２ｓと同様に動作する。
【００９８】
２．５Ｇ帯送信回路４３０ｓで生成された２．５Ｇ帯の送信信号は、ＲＦスイッチ４１０を通じてメインアンテナ４０１ｍに入力される。１．９Ｇ帯送信回路４３１ｓで生成された１．９Ｇ帯の送信信号は、デュプレクサ４１１及びダイプレクサ４２２を通じてメインアンテナ４０２ｍに入力される。８００Ｍ帯送信回路４３２ｓで生成された８００Ｍ帯の送信信号は、デュプレクサ４１２及びダイプレクサ４２２を通じてメインアンテナ４０３ｍに入力される。
【００９９】
５Ｇ帯送信回路４３４ｓは、電子機器１内の制御部から入力される送信信号に対してアップコンバート処理及び増幅処理等を行って、無線ＬＡＮ用の５Ｇ帯の送信信号を生成する。この５Ｇ帯の送信信号は、ＲＦスイッチ４２３を通じて無線ＬＡＮアンテナ４０５に入力される。
【０１００】
２．４Ｇ帯送受信回路４３５は、電子機器１内の制御部から入力される送信信号に対してアップコンバート処理及び増幅処理等を行って、無線ＬＡＮ用の２．４Ｇ帯の送信信号を生成する。この２．４Ｇ帯の送信信号は、ＲＦスイッチ４２３を通じて無線ＬＡＮアンテナ４０６に入力される。
【０１０１】
＜受信処理について＞
２．５Ｇ帯のメインアンテナ４０１ｍで受信された受信信号は、ＲＦスイッチ４１０を通じて２．５Ｇ帯受信回路４３０ｒ−ｍに入力される。２．５Ｇ帯のサブアンテナ４０１ｓで受信された受信信号は、ダイプレクサ４２０を通じて２．５Ｇ帯受信回路４３０ｒ−ｓに入力される。２．５Ｇ帯受信回路４３０ｒ−ｍ，４３０ｒ−ｓの動作は、上述の２．５Ｇ帯受信回路１３０ｒ−ｍ，１３０ｒ−ｓの動作と同様である。制御部は、２．５Ｇ帯受信回路４３０ｒ−ｍ，４３０ｒ−ｓから出力される受信信号に対して復調処理等を行って、基地局が送信する２．５Ｇ帯の無線信号に含まれる制御データ及びユーザデータ等を再生する。
【０１０２】
１．９Ｇ帯のサブアンテナ４０２ｓで受信された受信信号は、ダイプレクサ４２１を通じて１．９Ｇ帯受信回路４３１ｒ−ｓに入力される。また、１．９Ｇ帯のメインアンテナ４０２ｍで受信された受信信号は、ダイプレクサ４２２及びデュプレクサ４１１を通じて１．９Ｇ帯受信回路４３１ｒ−ｍに入力される。１．９Ｇ帯受信回路４３１ｒ−ｍ，４３１ｒ−ｓの動作は、上述の１．９Ｇ帯受信回路１３１ｒ−ｍ，１３１ｒ−ｓの動作と同様である。制御部は、１．９Ｇ帯受信回路４３１ｒ−ｍ，４３１ｒ−ｓから出力される受信信号に対して復調処理等を行って、基地局から送信される１．９Ｇ帯の無線信号に含まれる制御データ及びユーザデータ等を再生する。
【０１０３】
８００Ｍ帯のメインアンテナ４０３ｍで受信された受信信号は、ダイプレクサ４２２及びデュプレクサ４１２を通じて８００Ｍ帯受信回路３３２ｒ−ｍに入力される。また、８００Ｍ帯のサブアンテナ４０３ｓで受信された受信信号は、ダイプレクサ４２１を通じて８００Ｍ帯受信回路４３２ｒ−ｓに入力される。８００Ｍ帯受信回路４３２ｒ−ｍ，４３２ｒ−ｓの動作は、上述の８００Ｍ帯受信回路１３２ｒ−ｍ，１３２ｒ−ｓの動作と同様である。制御部は、８００Ｍ帯受信回路４３２ｒ−ｍ，４３２ｒ−ｓから出力される受信信号に対して復調処理等を行って、基地局から送信される８００Ｍ帯の無線信号に含まれる制御データ及びユーザデータ等を再生する。
【０１０４】
ＧＰＳアンテナ１０４で受信された受信信号は、ダイプレクサ４２０を通じてＧＰＳ受信回路４３３ｒに入力される。ＧＰＳ受信回路４３３ｒの動作は上述のＧＰＳ受信回路１３３ｒと同様である。制御部は、ＧＰＳ受信回路４３３ｒから入力された受信信号に対して復調処理等を行って、当該受信信号に含まれる制御データ及びユーザデータ等を再生する。
【０１０５】
無線ＬＡＮアンテナ４０５で受信された受信信号は、ＲＦスイッチ４２３を通じて５Ｇ帯受信回路４３４ｒに入力される。５Ｇ帯受信回路４３４ｒは入力された受信信号に対して増幅処理及びダウンコンバート処理等を行って、処理後の受信信号を制御部に出力する。制御部は、５Ｇ帯受信回路４３４ｒから入力された受信信号に対して復調処理等を行って、当該受信信号に含まれる制御データ及びユーザデータ等を再生する。
【０１０６】
無線ＬＡＮアンテナ４０６で受信された受信信号は、ＲＦスイッチ４２３を通じて２．４Ｇ帯送受信回路４３５に入力される。２．４Ｇ帯送受信回路４３５は入力された受信信号に対して増幅処理及びダウンコンバート処理等を行って、処理後の受信信号を制御部に出力する。制御部は、２．４Ｇ帯送受信回路４３５から入力された受信信号に対して復調処理等を行って、当該受信信号に含まれる制御データ及びユーザデータ等を再生する。
【０１０７】
＜各アンテナの構造について＞
本実施の形態では、第１アンテナ群４０１等の無線処理部４００が備える各種アンテナは、図８に示されるように、例えば、電池側ケース本体５０の外側の面５０１に形成されている。図８の中央には、電池側ケース本体５０の正面図が示されている。また、図８の上側、下側、左側及び右側には、電池側ケース本体５０の上面図、底面図、左側面図及び右側面図がそれぞれ示されている。図８の中央には、電池側ケース本体５０を、カバー部材３１が取り付けられる側から見た様子が示されている。
【０１０８】
無線処理部４００が備える、メインアンテナ４０１ｍ等の各種アンテナは、例えば、導体パターンで形成されている。またアンテナと接続される給電点４５０〜４５４も、例えば、導体パターンで形成されている。各種アンテナ及び給電点４５０〜４５４は、電池側ケース本体５０の外側の面５０１に対して、例えば、銀を主成分とする金属材料を印刷することによって形成されている。給電点４５０〜４５４のそれぞれは、例えば丸形となっている。
【０１０９】
電池側ケース本体５０は略浅い箱形となっている。電池側ケース本体５０の外側の面５０１は、平面視で略長方形の主面５０２と、上側の側面５０３（「上側面５０３」と呼ぶ）と、下側の側面５０４（「下側面５０４」と呼ぶ）と、左側の側面５０５（「左側面５０５」と呼ぶ）と、右側の側面５０６（「右側面５０６」と呼ぶ）とで構成されている。主面５０２には、電池７が挿入される開口部５００が形成されている。
【０１１０】
主面５０２と上側面５０３との境界部分５２３は角張っておらず湾曲している。つまり、主面５０２における上側面５０２側の端部から、上側面５０２における主面５０２側の端部にかけて湾曲している。同様に、主面５０２と下側面５０４との境界部分５２４は角張っておらず湾曲している。主面５０２と左側面５０５との境界部分５２５は角張っておらず湾曲している。主面５０２と下側面５０４との境界部分５２４は角張っておらず湾曲している。
【０１１１】
電池側ケース本体５０の右上角５２０、左上角５２１、左下角５２２及び右下角５２３は角張っておらず湾曲している。
【０１１２】
＜ＧＰＳアンテナ及び２．５Ｇ帯のサブアンテナの形状＞
給電点４５０が共通している２．５Ｇ帯のサブアンテナ４０１ｓとＧＰＳアンテナ４０４とは、電池側ケース本体５０の左上角部分５５１に形成されている。サブアンテナ４０１ｓが受信する無線信号の周波数帯（２．５Ｇ帯）は、ＧＰＳアンテナ４０４が受信するＧＰＳ信号の周波数帯（１．５Ｇ帯）よりも高いことから、サブアンテナ４０１ｓはＧＰＳアンテナ４０４よりも短くなっている。給電点４５０は、電池側ケース本体５０の左上角部分５５１の主面５０２側に設けられている。
【０１１３】
図９は、電池側ケース本体５０の左上角５２１から上端のあたりを拡大して示す図である。図９に示されるように、電池側ケース本体５０が電子機器１に組み込まれると、電池側ケース本体５０の左上角５２１から上端のあたりの下方には、機器ケース４内に収納されたフレキシブルケーブル７０〜７４、カメラ７５，７６、コネクタ７７，７８、イヤホンジャック７９及びバイブレータ８０などの部品が位置する。サブアンテナ４０１ｓ及びＧＰＳアンテナ４０４の下に部品が存在すると、サブアンテナ４０１ｓ及びＧＰＳアンテナ４０４の性能が劣化する可能性があることから、サブアンテナ４０１ｓ及びＧＰＳアンテナ４０４はできるだけ部品の上に位置しないように配置される。なお、無線処理部４００が備える他のアンテナについても、同様に、機器ケース４内の部品の上にできるだけ位置しないように配置される。
【０１１４】
図８に示されるように、ＧＰＳアンテナ４０４は、給電点４５０から左側面５０５の方へ延び、左側面５０５の湾曲部分５０５ａを通って左側面５０５の平坦部分５０５ｂまで延びている。そして、ＧＰＳアンテナ４０４は、左側面５０５の平坦部分５０５ｂから電池側ケース本体５０の湾曲している左上角５２１まで延び、左上角５２１の変曲点付近で主面５０１の方へ延びている。そして、ＧＰＳアンテナ４０４は、その開放端４０４ａが主面５０１の左上隅付近に来たところで終わっている。
【０１１５】
一方で、２．５Ｇ帯のサブアンテナ４０１ｓは、給電点４５０から左側面５０５の方へ延び、左側面５０５と主面５０２との湾曲している境界部部分５２５まで延びると、当該境界部分５２５内を下側面５０４の方にある程度延びた後に終了している。サブアンテナ４０１ｓの開放端４０１ｓａは給電点４５０よりも外側に位置している。
【０１１６】
このように、電池側ケース本体５０において、ＧＰＳアンテナ４０４は、２．５Ｇ帯のサブアンテナ４０１ｓよりも左上角５２１側に配置されている。電池側ケース本体５０を電子機器１に組み込んだ状態を考えると、ＧＰＳアンテナ４０４は、２．５Ｇ帯のサブアンテナ４０１ｓよりも電子機器１の角側（電子機器１をカバー部材３１側から見ると、電子機器１の左上角側）に配置される。したがって、ＧＰＳアンテナ４０４の近くに電子機器１内の部品が存在しにくくなる。よって、機器ケース４内の部品の影響を受けてＧＰＳアンテナ４０４の性能が劣化することを抑制することができる。つまり、実施の形態１に係るＧＰＳアンテナ１０４と同様に、ＧＰＳアンテナ４０４の性能を向上することができる。
【０１１７】
また、２．５Ｇ帯のサブアンテナ４０１ｓの開放端４０１ｓａは、給電点４５０よりも外側に位置しているため、機器ケース４内のグランドプレーンと結合しにくくなる。よって、サブアンテナ４０１ｓの性能が向上する。
【０１１８】
また、サブアンテナ４０１ｓは、給電点４５０よりも内側を通らずに、その開放端４０１ｓａが給電点４５０よりも外側に位置するように配置されている。そのため、サブアンテナ４０１ｓを電子機器１内においてより端の方に配置することができる。よって、サブアンテナ４０１ｓは、機器ケース４内の部品の影響を受けにくくなり、その性能が向上する。
【０１１９】
なお、長さの短い２．５Ｇ帯のサブアンテナ４０１ｓを、給電点４５０よりも内側を通るように配置すると、サブアンテナ４０１ｓの開放端４０１ｓａを端の方に配置することが容易ではなくなり、当該開放端４０１ｓａが機器ケース４内のグランドプレーンと結合しやすくなる。よって、長さの短い２．５Ｇ帯のサブアンテナ４０１ｓを、給電点４５０よりも内側を通るように配置することは好ましくない。
【０１２０】
＜１．９Ｇ帯のメインアンテナと８００Ｍ帯のメインアンテナの形状＞
給電点４５１が共通している１．９Ｇ帯のメインアンテナ４０２ｍと８００Ｍ帯のメインアンテナ４０３ｍとは、電池側ケース本体３０の下端部に形成されている。給電点４５１は、電池側ケース本体５０の左下角部分５５２の主面５０２側に設けられている。
【０１２１】
１．９Ｇ帯のメインアンテナ４０２ｍは、給電点４５１から上側面５０３に向かって少し延びた後、左側面５０５の方に延び、左側面５０５の湾曲部５０５ａを通って左側面５０５の平坦部５０５ｂまで延びている。そして、メインアンテナ４０２ｍは、左側面５０５の平坦部分５０５ｂから、電池側ケース本体５０の湾曲している左下角５２２まで延び、当該メインアンテナ４０２ｍの開放端４０２ｍａが下側面５０４の平坦部分５０４ａ近くに来たところで終了している。メインアンテナ４０２ｍは、電池側ケース本体５０の左下角部分に５５２に形成されている。メインアンテナ４０２ｍの開放端４０２ｍａは、給電点４５１よりも外側に位置している。
【０１２２】
一方で、８００Ｍ帯のメインアンテナ４０３ｍは、給電点４５１から上側面５０３に向かって少し延びた後、右側面５０６の方へ少し延び、その後、電池側ケース本体５０の湾曲している左下角５２２に沿って主面５０２内を延びている。そして、メインアンテナ４０３ｍは、電池側ケース本体５０の主面５０１の下端部における左右方向の中央部付近まで延びると、下方向に１８０度Ｕターンして、主面内５０２内を左側面５０５の方へ延びている。そして、メインアンテナ４０２ｍは、その開放端４０３ｍａが主面５０２の左下隅まで来ると終了している。メインアンテナ４０３ｍの開放端４０３ｍａは、給電点４５１よりも少し外側に位置している。
【０１２３】
このように、メインアンテナ４０２ｍ，４０３ｍの開放端４０２ｍａ，４０３ｍａは、給電点４５１よりも外側に位置しているため、機器ケース４内のグランドプレーンと結合しにくくなる。よって、メインアンテナ４０２ｍ，４０３ｍの性能が向上する。
【０１２４】
また、１．９Ｇ帯のメインアンテナ４０２ｍは、給電点４５１よりも内側を通らずに、その開放端４０２ｍａが給電点４５１よりも外側に位置するように配置されているため、メインアンテナ４０２ｍを電子機器１内においてより端の方に（より角の方に）配置することができる。よって、メインアンテナ４０２ｍは、機器ケース４内の部品の影響を受けにくくなり、その性能が向上する。
【０１２５】
＜２．５Ｇ帯のメインアンテナの形状＞
２．５Ｇ帯のメインアンテナ４０１ｍは、電池側ケース本体５０の右下角部分５５３に形成されている。メインアンテナ４０１ｍの給電点４５３は、電池側ケース本体５０の右下角部分５５３の主面５０２側に設けられている。
【０１２６】
メインアンテナ４０１ｍは、給電点４５３から右側面５０６の方に延び、右側面５０６の湾曲部５０６ａを通って右側面５０６の平坦部５０６ｂまで延びている。そして、メインアンテナ４０１ｍは、右側面５０６の平坦部分５０６ｂから、電池側ケース本体５０の湾曲している右下角５２３まで延び、その開放端４０１ｍａが右下角５２３の変曲点付近まで来ると終了している。メインアンテナ４０１ｍの開放端４０１ｍａは、給電点４５３よりも外側に位置している。
【０１２７】
このように、２．５Ｇ帯のメインアンテナ４０１ｍの開放端４０１ｍａは、給電点４５３よりも外側に位置しているため、機器ケース４内のグランドプレーンと結合しにくくなる。よって、メインアンテナ４０１ｍの性能が向上する。
【０１２８】
また、メインアンテナ４０１ｍは、給電点４５３よりも内側を通らずに、その開放端４０１ｍａが給電点４５３よりも外側に位置するように配置されているため、メインアンテナ４０１ｍを電子機器１内においてより端の方に（より角の方に）配置することができる。よって、メインアンテナ４０１ｍは、機器ケース４内の部品の影響を受けにくくなり、その性能が向上する。
【０１２９】
＜無線ＬＡＮアンテナの形状＞
給電点４５４が共通の無線ＬＡＮアンテナ４０５，４０６は、電池側ケース本体５０の右上角部分５５０に形成されている。給電点４５４は、右上角部分５５０の主面５０２側に形成されている。
【０１３０】
本実施の形態では、２．４Ｇ帯の無線ＬＡＮアンテナ４０６の要求性能は、５Ｇ帯の無線ＬＡＮアンテナ４０５の要求性能よりも高くなっている。具体的には、２．４Ｇ帯の無線ＬＡＮアンテナ４０６で許容される信号損失は、５Ｇ帯の無線ＬＡＮアンテナ４０５で許容される信号損失よりも小さくなっている。
【０１３１】
５Ｇ帯の無線ＬＡＮアンテナ４０５は、給電点４５４から右側面５０６の方に延びて、主面５０２と右側面５０６との湾曲している境界部分５２６に到達すると、当該境界部分５２６内を下側面５０４の方向へ延び、終了している。無線ＬＡＮアンテナ４０５の開放端４０５ａは給電点４５４よりも外側に位置している。
【０１３２】
２．４Ｇ帯の無線ＬＡＮアンテナ４０６は、給電点４５４から右側面５０６の方に延びて、主面５０２と右側面５０６との湾曲している境界部分５２６に到達すると、当該境界部分５２６内を上側面５０４の方に延びている。そして、無線ＬＡＮアンテナ４０６は、その開放端４０６ａが、湾曲している右上角５２０の変曲点付近にくると終了している。無線ＬＡＮアンテナ４０６の開放端４０６ａは給電点４５４よりも外側に位置している。
【０１３３】
このように、電池側ケース本体５０において、要求性能が比較的高い２．４Ｇ帯の無線ＬＡＮアンテナ４０６は、要求性能が比較的低い５Ｇ帯の無線ＬＡＮアンテナ４０５よりも右上角５２０側に配置されている。電池側ケース本体５０を電子機器１に組み込んだ状態を考えると、無線ＬＡＮアンテナ４０６は、無線ＬＡＮアンテナ４０５よりも電子機器１の角側（電子機器１をカバー部材３１側から見ると、電子機器１の右上角側）に配置される。したがって、無線ＬＡＮアンテナ４０６の近くに電子機器１内の部品が存在しにくくなる。よって、機器ケース４内の部品の影響を受けて無線ＬＡＮアンテナ４０６の性能が劣化することを抑制することができる。その結果、無線ＬＡＮアンテナ４０６について要求される高い性能を満足し易くなる。
【０１３４】
なお、２．４Ｇ帯の無線ＬＡＮアンテナ４０６には要求性能が定められており、５Ｇ帯の無線ＬＡＮアンテナ４０５には要求性能が定められていない場合でも、２．４Ｇ帯の無線ＬＡＮアンテナ４０６を、５Ｇ帯の無線ＬＡＮアンテナ４０５よりも角側に配置しても良い。この場合には、無線ＬＡＮアンテナ４０６についての要求性能を満足し易くなる。
【０１３５】
また、無線ＬＡＮアンテナ４０５，４０６の開放端４０５ａ，４０６ａは、給電点４５４よりも外側に位置しているため、機器ケース４内のグランドプレーンと結合しにくくなる。よって、無線ＬＡＮアンテナ４０５，４０６の性能が向上する。
【０１３６】
また、無線ＬＡＮアンテナ４０５，４０６は、給電点４５４よりも内側を通らずに、それらの開放端４０５ａ，４０６ａが給電点４５４よりも外側に位置するように配置されているため、無線ＬＡＮ４０５，４０６を電子機器１内においてより端の方に配置することができる。よって、無線ＬＡＮアンテナ４０５，４０６は、機器ケース４内の部品の影響を受けにくくなり、その性能が向上する。
【０１３７】
＜１．９Ｇ帯のサブアンテナと８００Ｍ帯のサブアンテナの形状＞
給電点４５２が共通している１．９Ｇ帯のサブアンテナ４０２ｓと８００Ｍ帯のサブアンテナ４０３ｓとは、電池側ケース本体５０の上端部に形成されている。給電点４５２は、電池側ケース本体５０の右上角部分５５０の主面５０２側に設けられている。
【０１３８】
１．９Ｇ帯のサブアンテナ４０２ｓは、給電点４５２から上側面５０３の方に延び、上側面５０３の湾曲部５０３ａを通って上側面５０３の平坦部５０３ｂまで延びている。そして、サブアンテナ４０２ｓは、上側面５０３の平坦部分５０３ｂから、電池側ケース本体５０の湾曲している右上角５２０まで延び、当該サブアンテナ４０２ｓの開放端４０２ｓａが湾曲している右上角５２０の変曲点を少し越えたところで終了している。サブアンテナ４０２ｓは、電池側ケース本体５０の右上角部分５５０に形成されている。サブアンテナ４０２ｓの開放端４０２ｓａは、給電点４５２よりも外側に位置している。
【０１３９】
一方で、８００Ｍ帯のサブアンテナ４０３ｓは、給電点４５２から上側面５０３の方へ少し延びた後、左方向に９０度曲がって左側面５０５に向かって延びている。そして、サブアンテナ４０３ｓは、左側面５０５に向かって延びる途中で部分的に太くなり、その開放端４０３ｓａが電池側ケース本体５０の左上角部分５５１まで到達すると終了している。サブアンテナ４０３ｓの開放端４０３ｓａは、給電点４５２よりも外側に位置している。
【０１４０】
このように、サブアンテナ４０２ｓ，４０３ｓの開放端４０２ｓａ，４０３ｓａは、給電点４５２よりも外側に位置しているため、機器ケース４内のグランドプレーンと結合しにくくなる。よって、サブアンテナ４０２ｓ，４０３ｓの性能が向上する。
【０１４１】
また、サブアンテナ４０２ｓ，４０３ｓは、給電点４５２よりも内側を通らずに、それらの開放端４０２ｓａ，４３０ｓａが給電点４５２よりも外側に位置するように配置されている。したがって、サブアンテナ４０２ｓ，４０３ｓを電子機器１内においてより端の方に配置することができる。よって、サブアンテナ４０２ｓ，４０３ｓは、機器ケース４内の部品の影響を受けにくくなり、その性能が向上する。
【０１４２】
上記の実施の形態１及び２では、ＧＰＳアンテナ１０４，４０４と給電点が共通のアンテナが受信だけを行うアンテナであったが、送信だけを行うアンテナであっても良いし、送受信を行うアンテナであっても良い。この場合であっても、ＧＰＳアンテナ１０４，４０４を、給電点が共通のアンテナよりも電子機器１の角側に配置することによって、ＧＰＳアンテナ１０４，４０４の性能を向上することができる。
【０１４３】
また、上記の例では、ＧＰＳアンテナ１０４，４０４を使用していたが、これらの代わりに、他の衛星測位システムの人工衛星からの信号を受信するアンテナを設けても良い。例えば、ＧＬＯＮＡＳＳ（Global Navigation Satellite System）の人工衛星からの信号を受信するアンテナを設けても良い。また、複数の衛星測位システムの人工衛星からの信号を受信することが可能なアンテナを設けても良い。例えば、ＧＰＳ及びＧＬＯＮＡＳＳの両方の人工衛星からの信号を受信することが可能なアンテナを設けても良い。これらの場合であっても、当該アンテナを電子機器１内においてより角の方に配置することによって、当該アンテナの性能を向上することができる。
【０１４４】
また、上記の例では、本願発明を携帯電話機に適用する場合を例にあげて説明したが、本願発明は、アンテナを有する電子機器であれば、携帯電話機以外の電子機器にも適用することができる。
【０１４５】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１４６】
１  電子機器  
１０１ｓ，１０２ｓ，１０３ｓ，４０１ｓ  サブアンテナ
１０４，４０４  ＧＰＳアンテナ
１５０，１５２，４５０，４５４  給電点
４０５，４０６  無線ＬＡＮアンテナ
【図１】
2015070302.tif 000003
【図２】
2015070302.tif 000004
【図３】
2015070302.tif 000005
【図４】
2015070302.tif 000006
【図５】
2015070302.tif 000007
【図６】
2015070302.tif 000008
【図７】
2015070302.tif 000009
【図８】
2015070302.tif 000010
【図９】
2015070302.tif 000011